(57)【要約】【課題】平板タイプの陳列台でありながら、上下方向に陳列棚を有する什器に変化させることのできる商品陳列什器を提供すること。【解決手段】天板支持部により支持される天板３を備える陳列台２と、ブラケット８を固定できる係止孔７ｅを複数有し、前記天板３を上下に貫通する支柱７と、前記陳列台２に設けられ前記支柱７を上下に移動可能に案内する案内部６と、前記支柱７を前記陳列台２に対し固定可能とする固定手段９と、を備えることを特徴としている。【選択図】図１
2015196022.tif 000002
【特許請求の範囲】
【請求項１】
天板支持部により支持される天板を備える陳列台と、ブラケットを固定できる係止孔を複数有し、前記天板を上下に貫通する支柱と、前記陳列台に設けられ前記支柱を上下に移動可能に案内する案内部と、前記支柱を前記陳列台に対し固定可能とする固定手段と、を備えることを特徴とする商品陳列什器。
【請求項２】
前記支柱は、前記天板を上下に貫通するようにして２本配置されており、これら２本の支柱は、横架部材によりその上端部が連結されていることを特徴とする請求項１に記載の商品陳列什器。
【請求項３】
前記天板の略中央には、前記横架部材及び支柱を収納できる凹部または孔部が形成されていることを特徴とする請求項１または２に記載の商品陳列什器。
【請求項４】
前記固定手段は、前記支柱の上下方向における複数位置において選択的に固定できることを特徴とする請求項１ないし３のいずれかに記載の商品陳列什器。
【発明の詳細な説明】
【技術分野】
【０００１】
本発明は、スーパーマーケット等の店舗に設置される商品陳列什器に関する。
【背景技術】
【０００２】
スーパーマーケット等の店舗には、常温保存の商品、例えば果物や野菜などを並べて陳列する商品陳列什器が設置されている。このような商品陳列什器は、側板と天板とにより形成される平板タイプの陳列台が一般的である（例えば、特許文献１参照）。
【先行技術文献】
【特許文献】
【０００３】
【特許文献１】特開２００３−１４４２８２号公報（第３頁、第１図）
【発明の概要】
【発明が解決しようとする課題】
【０００４】
このような商品陳列什器は、主に店舗内の目のつきやすい場所に配置され、天板上に果物や野菜などを山積みに陳列する場合、菓子やパン類を陳列する場合等に使用される。しかし、商品の種類が多い等の場合には、天板上を複数に区画し、各区画に種類の異なる商品が陳列されることになり、天板の中央側に配置された商品には、客がアクセスし辛いばかりか、商品陳列作業が煩雑なものになっていた。更に、複数種類の商品が前後左右に接近して陳列されている場合、類似商品の判別が難しいという問題もあった。このような場合、複数段の棚板を有する商品陳列什器を用いて上下の棚に分けて商品を陳列することが望ましく、特許文献１にあるような平台の什器を撤去し、複数段の棚板を有する商品陳列什器と入れ替えていた。
【０００５】
本発明は、このような問題点に着目してなされたもので、平板タイプの陳列台でありながら、上下方向に陳列棚を有する什器に変化させることのできる商品陳列什器を提供することを目的とする。
【課題を解決するための手段】
【０００６】
前記課題を解決するために、本発明の商品陳列什器は、
天板支持部により支持される天板を備える陳列台と、ブラケットを固定できる係止孔を複数有し、前記天板を上下に貫通する支柱と、前記陳列台に設けられ前記支柱を上下に移動可能に案内する案内部と、前記支柱を前記陳列台に対し固定可能とする固定手段と、を備えることを特徴としている。
この特徴によれば、複数の係止孔を有する支柱が天板を上下に貫通するようにして上下に移動可能、かつ案内部に設けられた固定手段により陳列台に対し固定可能であるため、天板上に支柱を引き上げた状態で係止孔に対しブラケットを固定し、ブラケットに補助棚等を支持させることで、平板タイプの陳列台から上下方向に陳列棚を有する什器に変化させることができる。
【０００７】
前記支柱は、前記天板を上下に貫通するようにして２本配置されており、これら２本の支柱は、横架部材によりその上端部が連結されていることを特徴としている。
この特徴によれば、２本の支柱の上端部横架部材により連結されているため、支柱の強度を高めることができ、前記補助棚等を左右で安定して支持することができる。
【０００８】
前記天板の略中央には、前記横架部材及び支柱を収納できる凹部または孔部が形成されていることを特徴としている。
この特徴によれば、凹部または孔部に横架部材及び支柱を陳列台側に収納することができ、平板タイプの陳列台の利用時に横架部材及び支柱が邪魔になることがない。
【０００９】
前記固定手段は、前記支柱の上下方向における複数位置において選択的に固定できることを特徴としている。
この特徴によれば、支柱の高さを調整できるため、補助棚を設ける段数や、補助棚の高さを適宜変更できることになる。
【図面の簡単な説明】
【００１０】
【図１】実施例における商品陳列什器を右上前方から見た斜視図である。
【図２】同じく商品陳列什器の分解斜視図である。
【図３】商品陳列什器を右下前方から見た拡大斜視図である。
【図４】陳列棚が２段設けられたときの商品陳列什器を示す右側面図である。
【図５】陳列棚が１段設けられたときの商品陳列什器を示す右側面図である。
【図６】平板タイプとして使用時の商品陳列什器を示す右側面図である。
【図７】商品陳列什器の変形例を示す右上前方から見た分解斜視図である。
【発明を実施するための形態】
【００１１】
本発明に係る商品陳列什器を実施するための形態を実施例に基づいて以下に説明する。
【実施例】
【００１２】
実施例に係る商品陳列什器につき、図１から図７を参照して説明する。以下、図１及び図２の画面左下側を商品陳列什器の正面側（前方側）とし、図４ないし図６の画面左側を商品陳列什器の正面側（前方側）として説明する。また、特に説明ない限り、陳列棚が設けられた使用状態での商品陳列什器を前提に説明する。尚、以下の説明において陳列棚が設けられた状態の商品陳列什器を「陳列棚タイプ」といい、図６に示すように陳列棚を設けない状態の商品陳列什器を「平板タイプ」という。
【００１３】
図１ないし図３の符号１は、本発明の適用された商品陳列什器である。この商品陳列什器１は、商品等を載置する２枚の天板３，３を備える陳列台２と、天板３，３の離間部である孔部１３を上下に貫通し陳列台２から立設する支柱７，７と、支柱７，７に取り付けられて商品等を載置する陳列棚５を有している。
【００１４】
陳列台２は、天板３，３と、天板３，３全体を側面から囲む略矩形の側板１４Ａ，１４Ｂ，１４Ｃ，１４Ｄからなる枠板１４と、枠板１４における対向する側板１４Ａ，１４Ｃを連結する側板連結材１５，１５と、支柱７，７を支持する支持材１６，１６と、側板連結材１５と側板１４Ｄを連結する補強材１７ａ，１７ａと、側板連結材１５と側板１４Ｂを連結する補強材１７ｂ，１７ｂと、枠板１４内側の四隅に固定される脚材１８，１８，１８，１８と、これら脚材１８，１８，１８，１８同士を連結する連結材４，４，４，４とを有している。
【００１５】
天板３，３は、枠板１４内の略中央に平面視略矩形の孔部１３が形成されるように離間して設けられており、この孔部１３前後方向の幅は、後述する上部横架部材１１前後方向の厚みよりわずかに大きい長さとなっており、孔部１３の左右方向の幅は、支柱７，７及び上部横架部材１１のそれぞれの左右方向の長さを合わせた長さよりもわずかに大きい長さとなっている。この孔部１３によって、支柱７，７の上端部７ｇ，７ｇと上部横架部材１１を収納できるようになっている。また、側板連結材１５，１５と、支持材１６，１６と、補強材１７ａ，１７ａと、補強材１７ｂ，１７ｂと、脚材１８，１８，１８，１８との各上面が天板３，３を支持する天板支持部となっている。
【００１６】
枠板１４は、略矩形の板状部材からなる側板１４Ａ，１４Ｂ，１４Ｃ，１４Ｄで構成されており、隣接する側板１４Ａ，１４Ｂ，１４Ｃ，１４Ｄ同士が直角に連結されている。また、側板１４Ａ及び側板１４Ｃの前後方向の略中央には、後述する支柱７，７を固定するための貫通孔１４ａ，１４ａが、厚み方向を貫通するように上下２ヶ所に設けられている。
【００１７】
側板連結材１５，１５は、略矩形の板状部材であって、枠板１４内に側板１４Ｂ及び側板１４Ｄに平行に、枠板１４内を約３等分する位置に配置されている。
【００１８】
支持材１６，１６は、側板１４Ａまたは側板１４Ｃと所定の間隔を有するように側板１４Ａ及び側板１４Ｃと平行となるよう側板連結材１５，１５との間に架設されている。この所定の間隔とは、支柱７の左右方向の厚みよりわずかに大きい幅である。また、該支持材１６と、側板連結材１５，１５と、枠板１４の４側面で囲まれた空間の側板連結材１５、１５側に、略矩形状のフェルトや樹脂からなる低摩擦性の間接材１９，１９（図２のドット部分）が設けられている。また、該間接材１９，１９と、支持材１６と、枠板１４との４側面で囲まれた空間は、左右方向の幅が支柱７の左右方向の厚みよりわずかに大きく、また前後方向の幅が支柱７の前後方向の厚みよりわずかに大きくなるように形成されており、この空間が、天板３，３間を貫通する支柱７，７の移動を上下方向のみに制限するよう案内する案内部６となっている。
【００１９】
また、図３は、商品陳列什器１の全体を右下前方から見た斜視図（蓋部材２２は省略）であるが、拡大図に示すように、支持材１６の前後方向の中央上部が切り欠き形状となっており、前後に対向する一対の壁部１６ｂ，１６ｂと、壁部１６ｂ，１６ｂを連結する底部１６ｃとが設けられている。また、壁部１６ｂ，１６ｂ間の距離、即ち底部１６ｃの前後方向長さは、支柱７の前後方向の厚みよりわずかに大きい長さとなっており、支持材上面１６ａと底部１６ｃとの距離、即ち壁部１６ｂ，１６ｂの上下方向の長さは、後述する上部横架部材１１上下方向の厚みよりわずかに大きい長さとなっている。この壁部１６ｂ，１６ｂと底部１６ｃにより形成された空間が上部横架部材１１の両端部１１ｂ，１１ｂの支持材凹部１６ｆとして構成される。また、支持材１６，１６の前後方向略中央の支持材凹部１６ｆ下部には、後述する支柱７，７を固定するための貫通孔１６ｄ，１６ｄが、上下に２ヶ所に厚み方向を貫通するように設けられている。
【００２０】
補強材１７ａ，１７ａ及び１７ｂ，１７ｂは、略矩形の板状部材であって、天板３，３を支持するとともに、側板連結材１５，１５の前後方向へのずれ及び、脚材１８のずれを防止するように固定されている。
【００２１】
支柱７，７は、前面７ａ及び後面７ｂに開口する係止孔７ｅ，７ｅ，…が支柱７，７の上下方向に間隔を有して複数設けられており、この係止孔７ｅ，７ｅ，…には、後述するブラケット８，８，…が所望の位置に係合して取り付けられる。また、側面７ｃ及び内面７ｄを貫通する貫通孔７ｆ，７ｆ，…が支柱７，７の上下方向に間隔を有して複数設けられており、この貫通孔７ｆ，７ｆ，…から選択された２ヶ所の貫通孔７ｆ，７ｆと、前述した側板１４Ａまたは側板１４Ｃの貫通孔１４ａ，１４ａと、支持材１６，１６の貫通孔１６ｄ，１６ｄをそれぞれ上下２ヶ所に貫通するボルト（固定手段）９，９にてこれらが固定される。尚、支柱７，７の上端部７ｇ，７ｇには、これらを横架する上部横架部材１１が固定され、支柱７，７の下端部７ｈ，７ｈには、これらを横架する下部横架部材１２が固定されており、支柱７，７と上部横架部材１１と下部横架部材１２とで正面視略矩形の枠を成している。また、上部横架部材１１の上面１１ａは、天板３，３の上面３ａ，３ａと同素材で形成され、図６に示すような平板タイプの商品陳列什器１として使用する際に天板３，３間に配置されて略面一の天板面を形成しこの上に商品が陳列される。
【００２２】
陳列棚５は、ブラケット８，８，…及び補助棚２１，２１，…により構成されている。陳列棚５の上段について説明すると、４本のブラケット８，８，８，８のそれぞれに設けられた各係止片８ａ，８ａ，８ａ，８ａが、支柱７，７の前面７ａまたは後面７ｂに上下に複数設けられた係止孔７ｅ，７ｅ，…に任意の位置でそれぞれ着脱可能に係止される。また、ブラケット８，８，８，８と、補助棚２１，２１が図示しないボルト等によって固定され、ブラケット８，８，８，８によって補助棚２１，２１が支持される。尚、陳列棚５の下段は、前述の陳列棚５の上段の構成と同一であるため説明は省略する。また尚、平板タイプの商品陳列什器１として使用する場合は、図６に示すように陳列台２下部の支柱７，７に陳列棚５が設けられ収納される。
【００２３】
図１に示すように、陳列棚タイプの商品陳列什器１として使用する場合は、蓋部材２２が天板３，３間の孔部１３を塞いで略面一の天板面を形成しこの上に商品が陳列される。蓋部材２２は、平面視、上部横架部材１１と略同形状を成し、左右方向の中央には開口部２２ａ（図２参照）が設けられている。また、平板タイプの商品陳列什器１として使用する場合は、陳列台２下部に収納された陳列棚５は、布２３等（図１参照）で覆われ外観上見えないようになっている。
【００２４】
次に、商品陳列什器１の使用方法について図４ないし図６を用いて説明する。先ず、図４に示すように、陳列棚５が上下２段設けられた陳列棚タイプの商品陳列什器１の場合には、支柱７が上方に配置されている。尚、図４は最上方まで移動させた状態の支柱７を表しており、支持材１６，１６によって、下部横架部材１２が枠板１４より上方へ移動することを規制している。この状態を維持するためにボルト９，９が、外側から順に、枠板１４，支柱７，支持材１６に設けられたそれぞれの貫通孔１４ａ，１４ａ，７ｆ，７ｆ，１６ｄ，１６ｄに挿通され、これらが固定されている。
【００２５】
次に、図４に示す陳列棚５が上下２段設けられた陳列棚タイプから、図５に示す陳列棚５が１段設けられた陳列棚タイプに変更する場合の商品陳列什器１の動作について説明する。先ず、陳列棚５の下段補助棚２１，２１下部と下段ブラケット８，８，８，８上部の嵌合を脱離し、下段補助棚２１，２１を取り外す。次に下段ブラケット８，８，８，８の各係止片８ａ，８ａ，８ａ，８ａを、支柱７，７の係止孔７ｅ，７ｅ，７ｅ，７ｅから脱離し下段ブラケット８，８，８，８を取り外す。取り外された下段補助棚２１，２１と下段ブラケット８，８，８，８を天板３上に仮置きする。
【００２６】
次に、天板３，３の間に載置されている蓋部材２２の開口部２２ａ（図２参照）を利用して、蓋部材２２を取り外す。次に、商品陳列什器１の左右両側で下部横架部材１２が支持された状態でボルト９，９を取り外し、案内部６に配置されている支柱７を下方へ移動させる。次に、支柱７を図５に示す所望の位置に支持しながら、枠板１４，支柱７に設けられたそれぞれの貫通孔１４ａ，１４ａ，７ｆ，７ｆが同一高さとなる位置において枠板１４，支柱７，支持材１６に設けられたそれぞれの貫通孔１４ａ，１４ａ，７ｆ，７ｆ，１６ｄ，１６ｄにボルト９，９を挿通しこれらを固定する。次に、天板３上に仮置きされている下段ブラケット８，８，８，８の各係止片８ａ，８ａ，８ａ，８ａを、陳列棚５下部の支柱７の係止孔７ｅ，７ｅ，７ｅ，７ｅに係止させて下段ブラケット８，８，８，８を取り付け、次いでブラケット８，８，８，８上部と天板３上に仮置きされている下段補助棚２１，２１下部を嵌合させる。最後に蓋部材２２を天板３，３間の孔部１３に載置し、図５に示す陳列棚５が１段設けられた陳列棚タイプの状態となる。尚、蓋部材２２は、左右両端部が支持材凹部１６ｆに載置され、蓋部材２２の上面は天板３，３と同一の高さとなって略面一の天板面を構成する。
【００２７】
次に、図５に示す陳列棚５が１段設けられた陳列棚タイプから、図６に示す平板タイプに変更する場合の商品陳列什器１の動作について説明する。尚、上段補助棚２１，２１と上段ブラケット８，８，８，８の陳列棚５上部の支柱７，７からの取り外し及び陳列台２下部の支柱７，７への取り付けについては、前述の下段補助棚２１，２１と下段ブラケット８，８，８，８の取り外し方法及び取り付け方法と同様であるため説明は省略する。また、蓋部材２２の取り外しや案内部６に配置されている支柱７の移動及び固定についても同様であるため説明は省略する。図６は、平板タイプとして使用される商品陳列什器１の場合において、支柱７が最下方に移動された状態を表しており、支持材１６に設けられた支持材凹部１６ｆによって、上部横架部材１１が下方へ移動することを規制している。また、上部横架部材１１が孔部１３に配置されて上部横架部材上面１１ａと天板上面３ａが同一の高さとなって略面一の天板面を構成する。
【００２８】
このように、本実施例の商品陳列什器１は、複数の係止孔７ｅ，７ｅ，…を有する支柱７，７が天板３を上下に貫通するようにして上下に移動可能、かつ案内部６に設けられたボルト９により陳列台２に対し固定可能であるため、天板３上に支柱７，７を引き上げた状態で係止孔７ｅ，７ｅ，…に対しブラケット８，８，…を固定し、ブラケット８，８，…に補助棚２１を支持させることで、平板タイプの商品陳列什器１から上下方向に陳列棚５を有する什器に変化させることができる。
【００２９】
また、２本の支柱７，７が上部横架部材１１により連結されているため、支柱７，７の強度を高めることができ、陳列棚５を左右で安定して支持することができる。
【００３０】
また、孔部１３に上部横架部材１１及び支柱７の上端部７ｇ，７ｇを陳列台２側に収納することができ、平板タイプの商品陳列什器１の利用時に上部横架部材１１及び支柱７，７が邪魔になることがない。
【００３１】
また、支柱７，７の高さを調整できるため、補助棚２１を設ける段数や、補助棚２１の高さを適宜変更できることになる。
【００３２】
次に、平板タイプとして使用時の上部横架部材１１の取り付け位置の変形例につき、図７を参照して説明する。尚、前記実施例に示される構成部分と同一構成部分については同一符号を付して重複する構成の説明を省略する。尚、陳列棚５の図示も省略する。
【００３３】
本変形例の商品陳列什器１００は、平面視略矩形の１枚の天板３０を有し、天板３０には、前後方向の略中央の左右両端部に切欠３０ａ，３０ａが設けられている。また、案内部６を上下に移動する支柱７０，７０の各上端部７０ｄ，７０ｄの前面７０ａ及び後面７０ｂには、突部７０ｅ，７０ｅが形成されている。この突部７０ｅ，７０ｅと支柱上端部７０ｄにより構成される筐体は、切欠３０ａと略同形状であり、平板タイプの商品陳列什器１００として使用する場合は、該筐体が切欠３０ａ内に収納されるとともに、図７の拡大図に示すように、間接材１９０，１９０によって突部７０ｅ，７０ｅ、即ち支柱７０，７０が下方へ落下しないようになっている。
【００３４】
このように、本変形例は、上部横架部材１１を有していないため、前記実施例で設けた支持材凹部１６ｆや蓋部材２２が不要となり、簡易な設計とすることができる。尚、陳列棚タイプの商品陳列什器１００として使用時には、上部横架部材１１を支柱７０，７０の上方に取り付け可能となるよう上部横架部材１１と支柱７０，７０を着脱可能な態様としてもよく、その場合は、陳列棚タイプの商品陳列什器１００として使用する際に、上部横架部材１１を支柱７０，７０の下方に取り付けて収納しても良い。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例では、２本の横架部材１１，１２によって連結される２本の支柱７，７を上下に移動して陳列棚タイプの商品陳列什器１から平板タイプの商品陳列什器１に変形させる例を示したが、これに限らず、横架部材１１，１２と両端部が連結された複数の支柱を設けても良く、あるいは支柱７，７の間に、正面視略矩形の上下に移動する板状の支柱材を設ける態様の商品陳列什器としても良い。
【００３７】
また例えば、前記実施例では、２本の横架部材１１，１２によって連結される２本の支柱７，７を上下に移動して陳列棚タイプの商品陳列什器１から平板タイプの商品陳列什器１に変形させる例を示したが、これに限らず、上部横架部材１１と下部横架部材１２のいずれかのみを支柱７，７に連結させた態様としても良く、また、複数の横架部材を設けるようにしても良い。また、上部横架部材１１と下部横架部材１２のいずれも連結しない、即ち支柱７，７をそれぞれ単独で上下に移動可能とする態様の商品陳列什器としても良い。
【００３８】
また例えば、前記実施例では、離間して設けられた天板３，３との間に孔部１３が設けられる例について説明したが、これに限らず、上部横架部材１１を収納可能な凹部を設けても良い。
【００３９】
また例えば、前記実施例では、離間して設けられた２枚の天板３，３との間に孔部１３が設けられる例について説明したが、孔部１３や凹部を設けず、１枚の天板上に上部横架部材１１が配置されるような態様の商品陳列什器としても良い。また例えば、１枚の天板に開口した孔部を設け、該孔部に支柱を貫通するような態様の商品陳列什器としても良い。
【００４０】
また例えば、前記実施例では、支柱７，７にブラケット８，８，…を固定するフック様の係止孔７ｅ，７ｅ，７ｅ，…を設けることについて説明したが、支柱７，７とブラケット８，８，…を固定するものであればこれに限定されない。
【００４１】
また例えば、前記実施例では、陳列台２に対し支柱７，７を固定可能とするボルト９，９について説明したが、陳列台２と支柱７，７を固定するものであればこれに限定されない。
【００４２】
また例えば、前記実施例では、ボルト９，９を枠板１４外側から内側に向けて挿通する例を示したが、これに限らず、蓋部材２２を取り外した状態で枠板１４内側の支持材１６から挿通するようにしても良く、また、枠板１４外側と支持材１６内側の両側からそれぞれボルト９，９を挿通して支柱７，７を固定するようにしても良い。
【符号の説明】
【００４３】
１，１００        商品陳列什器
２                陳列台
３，３０          天板
４                連結材
５                陳列棚
６                案内部
７，７０          支柱
７ｅ              係止孔
８                ブラケット
９                ボルト（固定手段）
１１              上部横架部材
１２              下部横架部材
１３              孔部
１５              側板連結材
１６，１６０      支持材
１７ａ，１７ｂ    補強材
１８              脚材
１９，１９０      間接材
２１              補助棚
２２              蓋部材
【図１】
2015196022.tif 000003
【図２】
2015196022.tif 000004
【図３】
2015196022.tif 000005
【図４】
2015196022.tif 000006
【図５】
2015196022.tif 000007
【図６】
2015196022.tif 000008
【図７】
2015196022.tif 000009